(57)【要約】      （修正有）【課題】薄型で操作が容易な、コネクタを提供する。【解決手段】フラットケーブル２及びプリント回路基板４に適用する。コネクタ１０はハウジングと、信号端子と、接地端子と、複数の押圧組立部材と、を備えている。フラットケーブルをハウジングの挿入口に挿入すると、フラットケーブルが押圧組立部材に作用し、押圧組立部材が変形して第一方向に移動する。フラットケーブルが押圧組立部材に作用しなくなると、押圧組立部材が変形量を解放して第二方向に移動し、押圧組立部材が原位置に復帰し、フラットケーブルがハウジングの収容空間にロックする。外力により押圧組立部材を押圧すると変形して第一方向に移動し、フラットケーブルが収容空間からロックが解除される。また、本考案は押圧組立部材をさらに提供する。【選択図】図１
0003235095.tif 000002
【実用新案登録請求の範囲】
【請求項１】
フラットケーブル及びプリント回路基板に適用するコネクタであって、
収容空間、複数の開口部、挿入口、端子スロット、及び接地用開口部が形成されているハウジングであって、これら前記開口部は前記ハウジングの表面に形成され、これら前記開口部が前記ハウジングの外部及び前記収容空間に連通され、前記挿入口は前記フラットケーブルを挿入するための前記収容空間に連接され、前記端子スロットは前記挿入口の対応側に形成され、前記接地用開口部は前記挿入口に隣接する前記ハウジングに欠設されているハウジングと、
前記端子スロットに設置される信号端子であって、前記信号端子の一端が前記フラットケーブルに電気的に接続されている信号端子と、
前記接地用開口部に設置され、一端が前記収容空間に設置され、他端が前記ハウジングに露出されている接地端子と、
これら前記開口部にそれぞれ設置され、押圧部と、接続部と、フック部と、弾性部と、接地部とを有し、前記接続部は前記押圧部及び前記フック部に連接され、前記弾性部は前記フック部及び前記接地部に連接され、前記押圧部は各これら前記開口部から前記ハウジングに露出されている複数の押圧組立部材と、を備え、
前記フラットケーブルを前記挿入口に挿入すると、前記フラットケーブルが前記フック部に作用し、前記フック部が前記弾性部を変形するように連動して第一方向に移動させ、前記フラットケーブルが前記フック部に作用しなくなると、前記弾性部が変形量を解放して第二方向に移動し、前記フック部が原位置に復帰し、前記フラットケーブルを前記収容空間にロックし、外力により前記押圧部を押圧すると前記弾性部が変形して前記第一方向に移動し、前記弾性部が前記フック部を連動し、前記フラットケーブルが前記収容空間からロックを解除されることを特徴とするコネクタ。
【請求項２】
前記押圧部の面積は各これら前記開口部の面積より狭くないことを特徴とする請求項１に記載のコネクタ。
【請求項３】
前記ハウジングはこれら前記開口部に隣接する箇所に傾斜面が形成され、前記弾性部を変形する変形程度を決定することを特徴とする請求項１に記載のコネクタ。
【請求項４】
前記接地端子の前記端部は前記挿入口から前記収容空間に向けて延伸されていることを特徴とする請求項１に記載のコネクタ。
【請求項５】
コネクタに適用する押圧組立部材であって、
押圧面が形成されている押圧部と、
リード角を有しているフック部と、
前記押圧部及び前記フック部に連接されている接続部と、
接地部と、
前記フック部及び前記接地部に連接されている弾性部と、を備え、
前記押圧部は前記接続部に対し垂直になると共に前記弾性部及び前記接地部に平行していることを特徴とする押圧組立部材。
【考案の詳細な説明】
【技術分野】
【０００１】
本考案は、コネクタの分野に関し、より詳しくは、押圧部材及びそのコネクタ（Press component and connector thereof）に関する。
【背景技術】
【０００２】
コネクタは導線及び回路基板を接続するための部材であり、その利点は物理的に溶接する方式により回路基板に溶接し、ユーザーが挿脱することで電気的に接続する効果を実現している点である。
【考案の概要】
【考案が解決しようとする課題】
【０００３】
コネクタ及び導線を堅固に接触させるため、多くの自動ロック方式が発展し、コネクタ及び導線を外れないように簡単に接続できるようにしている。また、前述の動作は導線をコネクタに挿入する過程で自動的にロックし、コネクタと導線との接続を保持している。
【０００４】
そこで、本考案者は上記の欠点が改善可能と考え、鋭意検討を重ねた結果、合理的設計で上記の課題を効果的に改善する本考案の提案に至った。
【０００５】
本考案の第一の目的は、プリント回路基板及びフレキシブルケーブルを接続し、フレキシブルケーブルをロックするコネクタを提供する。
【０００６】
本考案の第二の目的は、上述のコネクタにより、複数の押圧組立部材を用いてフラットケーブル（例えば、フレキシブルフラットケーブル（Flexible flat cable、FFC））及びフレキシブルプリント回路基板（Flexible Printed Circuit、FPC）を自動ロックする目的を達成する。
【０００７】
本考案の第三の目的は、上述のコネクタにより、一端が収容空間に延伸されてフラットケーブルの接地に接続される接地端子を提供し、且つフラットケーブルを接地端子の他端を介してプリント回路基板の接地に接続する。
【０００８】
本考案の第四の目的は、上述のコネクタにより、ハウジングに押圧組立部材を作動させて押圧組立部材の弾性部の変形程度を決定するための傾斜面を形成する。
【０００９】
本考案の第五の目的は、コネクタに適用する押圧組立部材を提供する。
【課題を解決するための手段】
【００１０】
上記課題を解決するために、本考案のある態様のコネクタは、フラットケーブル及びプリント回路基板に適用する。コネクタはハウジングと、信号端子と、接地端子と、複数の押圧組立部材と、を備えている。ハウジングには収容空間、複数の開口部、挿入口、端子スロット、及び接地用開口部が形成されている。これら前記開口部はハウジングの表面に形成され、これら前記開口部がハウジングの外部及び収容空間に連通する。挿入口はフラットケーブルを挿入するための収容空間に連接されている。端子スロットは挿入口の対応側に形成されている。接地用開口部は挿入口に隣接するハウジングに欠設されている。信号端子は端子スロットに設置されている。信号端子の一端はフラットケーブルに電気的に接続可能である。接地端子は接地用開口部に設置されている。接地端子の端部は収容空間に延伸され、接地端子の他の端部はハウジングに露出されている。これら前記押圧組立部材はこれら前記開口部にそれぞれ設置されている。各これら前記押圧組立部材は押圧部と、接続部と、フック部と、弾性部と、接地部と、を備えている。接続部は押圧部及びフック部に連接されている。弾性部はフック部及び接地部に連接されている。押圧部は各これら前記開口部からハウジングに露出されている。フラットケーブルを挿入口に挿入すると、フラットケーブルがフック部に作用し、フック部が弾性部を変形するように連動して第一方向に移動させる。フラットケーブルがフック部に作用しなくなると、弾性部が変形量を解放して第二方向に移動し、フック部を原位置に復帰させ、フラットケーブルを収容空間にロックする。外力により押圧部を押圧すると、弾性部が変形して第一方向に移動し、弾性部がフック部を連動し、フラットケーブルが収容空間からロックを解除される。
【００１１】
また、上述した課題を解決し、目的を達成するために、本考案の別の態様は、押圧組立部材である。この押圧組立部材は、コネクタに適用する。押圧組立部材は押圧部と、フック部と、接続部と、接地部と、弾性部と、を備えている。押圧部には押圧面が形成されている。フック部はリード角を有している。接続部は押圧部及びフック部に連接されている。弾性部はフック部及び接地部に連接されている。
【考案の効果】
【００１２】
本考案によれば、次のような効果がある。
【００１３】
従来のコネクタと比較すると、本考案に係る押圧組立部材及びそのコネクタは、複数の押圧組立部材及び前縁にある接地端子により、薄型化を実現し、容易にロック及びロック解除が可能なコネクタを提供する。
【００１４】
本明細書及び図面の記載により、少なくとも、以下の事項が明らかとなる。
【図面の簡単な説明】
【００１５】
【図１】本考案の第１実施例に係るコネクタを示す外観斜視図である。
【図２（ａ）】図１に示すコネクタを示す第一視角図である。
【図２（ｂ）】図１に示すコネクタを示す第二視角図である。
【図３（ａ）】図２に示すハウジングを示す上面図である。
【図３（ｂ）】図２に示すハウジングを示す前面図である。
【図３（ｃ）】図２に示すハウジングを示す背面図である。
【図３（ｄ）】図２に示すハウジングを示す側面図である。
【図４（ａ）】図２に示す押圧組立部材を示す第一視角図である。
【図４（ｂ）】図２に示す押圧組立部材を示す第二視角図である。
【図５】図２に示す信号端子と接地端子と押圧組立部材を示す概略構成図である。
【考案を実施するための形態】
【００１６】
以下、図面を参照しつつ、本考案に係る押圧組立部材及びそのコネクタについて具体的に説明する。
【００１７】
本明細書において、「１」または「１つ」という用語を使用して本文の単位、部材、及び組立部材を説明している。これは説明を分かりやすくするためにすぎず、本考案の範疇について一般的な意義を提供している。よって、他の意味が明示されていない限り、このような描写は１つ及び少なくとも１つという意味を含み、且つ単数と同時に複数も含むと理解すべきである。
【００１８】
なお、本明細書において、「備える」、「含む」、「有している」、「含有している」、或いは他の類似するあらゆる用語は被排他的に包括する物品を含む。一例を挙げると、複数の要素を含む部材、構造、製品、または装置が本文に列挙された要素に限られず、明確に列挙されていないが前記部材、構造、製品、または装置が通常固有の他の要素であるものも含まれる。このほか、明確に反対の説明がなされていない限り、「或いは」という用語は包括的な「或いは」という意義を指し、排他的な「或いは」ではない。
【００１９】
図１は本考案の第１実施例に係るコネクタを示す外観斜視図である。図１において、コネクタ１０はフラットケーブル２及びプリント回路基板４に適用する。
【００２０】
以下、図２（ａ）と図２（ｂ）は図１に示すコネクタを示す詳細な構成図である。図２（ａ）は図１に示すコネクタを示す第一視角図である。図２（ｂ）は図１に示すコネクタを示す第二視角図である。
【００２１】
コネクタ１０はハウジング１２と、信号端子１８と、接地端子１６と、押圧組立部材１４と、を備えている。
【００２２】
図３（ａ）乃至図３（ｄ）は図２に示すハウジングを示す詳細な構成図である。図３（ａ）は図２に示すハウジングを示す上面図である。図３（ｂ）は図２に示すハウジングを示す前面図である。図３（ｃ）は図２に示すハウジングを示す背面図である。図３（ｄ）は図２に示すハウジングを示す側面図である。
【００２３】
ハウジング１２には収容空間ＳＰ、開口部１２４、挿入口１２３、端子スロット１２８、及び接地用開口部１２６が形成されている。
【００２４】
開口部１２４はハウジング１２の表面１２２に形成され、これら前記開口部１２４がハウジング１２の外部及び収容空間ＳＰに連通している。他の実施例では、ハウジング１２には表面１２２の開口部１２４に隣接する位置に傾斜面１２２’が形成され、傾斜面１２２’により後続の弾性部１４６の変形程度を決定する。本実施例では、開口部１２４の形状はＴ形状である。
【００２５】
挿入口１２３はフラットケーブル２を挿入するための収容空間ＳＰに連接されている。また、開口部１２４はハウジング１２の表面に形成されている以外、収容空間ＳＰに連通され、すなわち、図中の開口部１２４’である。また、開口部１２４’に位置している収容空間ＳＰには後述する押圧組立部材１４を固定または装設するためのギャップ１２１０が形成されている。
【００２６】
端子スロット１２８は挿入口１２３の対応側に形成されている。信号端子１８は端子スロット１２８に設置され、信号端子１８の一端はフラットケーブルに電気的に接続可能であり、信号端子１８の他端はプリント回路基板４に電気的に接続可能である。
【００２７】
接地用開口部１２６は挿入口１２３に隣接するハウジング１２に欠設されている。本実施例では、接地用開口部１２６の形状はＺ形状を呈している。
【００２８】
接地端子１６は接地用開口部１２６に設置されている。接地端子１６の端部１６４は収容空間ＳＰに延伸され、接地端子１６の本体１６２は接地用開口部１２６に設置され、及び接地端子１６の他の端部１６６はハウジング１２に露出されている。本実施例では、接地端子１６の一端は挿入口１２３から収容空間ＳＰに向けて延伸されている。また、接地端子１６は弾性構造であり、フラットケーブルを収容空間ＳＰに固定するように挟持している。
【００２９】
本実施例では、開口部１２４、端子スロット１２８、及び接地用開口部１２６の数量は図面の数量に制限されない。
【００３０】
図４（ａ）と図４（ｂ）は図２に示す押圧組立部材を示す詳細な構成図である。図４（ａ）は図２に示す押圧組立部材を示す第一視角図である。図４（ｂ）は図２に示す押圧組立部材を示す第二視角図である。
【００３１】
押圧組立部材１４は開口部１２４にそれぞれ設置されている。押圧組立部材１４は押圧部１４８と、接続部１４２と、フック部１４４と、弾性部１４６と、接地部１４１０と、を備えている。
【００３２】
本実施例では、押圧部１４８の面積は表面１２２の開口部１２４の面積より広いか等しく、且つ押圧部１４８はハウジング１２の表面１２２の開口部１２４からハウジング１２に露出されている。
【００３３】
接続部１４２は押圧部１４８及びフック部１４４に連接されている。接続部１４２はハウジング１２の表面１２２に突出している。
【００３４】
フック部１４４にはリード角が形成され、そのリード角の方向は挿入口１２３の方向に向いている。
【００３５】
弾性部１４６はフック部１４４及び接地部１４１０に連接されている。弾性部１４６の側面はＵ形状を呈している。弾性部１４６の側面にはフック部１４４が形成されている。
【００３６】
接地部１４１０はプリント回路基板４の接地に接続されている。
【００３７】
前述の押圧部１４８は接続部１４２に対し垂直になると共に弾性部１４６及び接地部１４１０に平行している。
【００３８】
フラットケーブル２を挿入口１２３に挿入すると、フラットケーブル２がフック部１４４に作用し、フック部１４４が弾性部１４６を変形するように連動して第一方向（例えば、図４（ａ）中の下向きの方向）に移動させる。フラットケーブル２がフック部１４４に作用しなくなると、弾性部１４６が変形量を解放して第二方向（例えば、図４（ａ）中の上向きの方向）に移動し、フック部１４４を原位置に復帰させ、フラットケーブル２を収容空間ＳＰにロックする。反対に、外力により押圧部１４８を押圧すると、弾性部１４６が変形して第一方向に移動し、弾性部１４６がフック部１４４を連動し、フラットケーブル２が収容空間ＳＰからロックを解除される。
【００３９】
図５は図２に示す信号端子と接地端子と押圧組立部材を示す概略構成図である。
【００４０】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００４１】
２  フラットケーブル
４  プリント回路基板
１０  コネクタ
１２  ハウジング
１２２  表面
１２２’  傾斜面
１２３  挿入口
１２４  開口部
１２４’  開口部
１２６  接地用開口部
１２８  端子スロット
１２１０  ギャップ
１４  押圧組立部材
１４２  接続部
１４４  フック部
１４６  弾性部
１４８  押圧部
１４１０  接地部
１６  接地端子
１６２  本体
１６４  端部
１６６  端部
１８  信号端子
ＳＰ  収容空間
【図１】
0003235095.tif 000003
【図２（ａ）】
0003235095.tif 000004
【図２（ｂ）】
0003235095.tif 000005
【図３（ａ）】
0003235095.tif 000006
【図３（ｂ）】
0003235095.tif 000007
【図３（ｃ）】
0003235095.tif 000008
【図３（ｄ）】
0003235095.tif 000009
【図４（ａ）】
0003235095.tif 000010
【図４（ｂ）】
0003235095.tif 000011
【図５】
0003235095.tif 000012